(57)【特許請求の範囲】
【請求項１】
本体と、
前記本体に配置される２つの本体側ロック部と、
前記本体に開閉可能に支持されるカバーと、
前記カバーを閉じたときに２つの前記本体側ロック部にそれぞれ引っ掛かることで、当該カバーが開かないようにロックする２つのカバー側ロック部と、
２つの前記カバー側ロック部とそれぞれ接続される２つの回転軸と、
２つの前記回転軸と接続され、前記カバーの前記本体側の面であって当該カバーの回転軸側の反対側である先端側の端部近傍に配置され、２つの前記回転軸の間に相当する部分に凹み部分が形成されており、前記カバー側ロック部のロックを解除可能なロック解除部と、
を備えることを特徴とする自動原稿搬送装置。
【請求項２】
本体と、
前記本体に配置される本体側ロック部と、
前記本体に開閉可能に支持されるカバーと、
前記カバーを閉じたときに前記本体側ロック部に引っ掛かることで、当該カバーが開かないようにロックするカバー側ロック部と、
前記カバーの前記本体側の面であって当該カバーの回転軸側の反対側である先端側の端部近傍に配置され、前記カバー側ロック部のロックを解除可能なロック解除部と、
前記ロック解除部と前記カバー側ロック部とを接続する回転軸と、
を備え、
前記ロック解除部は、
前記回転軸よりも先端側に配置され、ユーザが操作するための操作部と、
前記操作部と前記回転軸とを接続する接続部と、
を備え、
前記カバー側ロック部は、前記操作部に加えられた操作力により回転動作を行い、当該回転動作によって前記カバーのロックを解除可能であることを特徴とする自動原稿搬送装置。
【請求項３】
請求項２に記載の自動原稿搬送装置であって、
前記カバーの本体側の面には、前記操作部と、前記回転軸の回転軸線と、の間に、給紙に関するローラが配置されることを特徴とする自動原稿搬送装置。
【請求項４】
請求項２又は３に記載の自動原稿搬送装置であって、
ロックを解除するために前記ロック解除部を回転させる方向は、前記カバーを開ける方向と同じであることを特徴とする自動原稿搬送装置。
【請求項５】
請求項１から４までの何れか一項に記載の自動原稿搬送装置であって、
前記ロック解除部は、搬送される原稿の幅方向中央に位置していることを特徴とする自動原稿搬送装置。
【請求項６】
請求項１から５までの何れか一項に記載の自動原稿搬送装置であって、
前記ロック解除部には、搬送される原稿をガイドするガイド部が形成されることを特徴とする自動原稿搬送装置。
【請求項７】
請求項１から６までの何れか一項に記載の自動原稿搬送装置であって、
前記ロック解除部に加えて、第２ロック解除部を備えることを特徴とする自動原稿搬送装置。
【請求項８】
請求項１から７までの何れか一項に記載の自動原稿搬送装置を備えることを特徴とする原稿読取装置。
【発明の詳細な説明】
【技術分野】
【０００１】
本発明は、自動原稿搬送装置、及び、原稿を当該自動原稿搬送装置で搬送しながら読み取る原稿読取装置に関する。
【背景技術】
【０００２】
従来から、自動原稿搬送装置（オートドキュメントフィーダ、ＡＤＦ）及び画像形成装置等において、ジャム原稿の除去等の各種メンテナンス作業を容易にするために、内部を開放可能なカバーを備える構成をとることがある。
【０００３】
また、このようなカバーを備えた装置において、カバーが閉じているときに当該カバーが不用意に開くことを防止するために、ロック機能を備えた構成が知られている。特許文献１及び特許文献２は、この種のカバーを備えた画像形成装置を開示する。
【０００４】
特許文献１の画像形成装置は、画像形成装置本体の上面を覆う上カバー部材を備えている。この上カバー部材はその端部に、支軸と、当該支軸に取り付けられたロック爪と、を備えている。そして、このロック爪が装置本体の係合部と係合することで、上カバー部材が開かないようにロックしている。また、上カバー部材の上面であってロック爪と同支軸上には、操作レバーが配置されている。この操作レバーを回動することで、ロック爪が回動して装置本体の係合部とロック爪との係合が外れ、上カバー部材のロックを解除することができる。
【０００５】
特許文献２の画像形成装置は、画像形成装置本体の側面にジャムアクセスカバーを備えている。このジャムアクセスカバーは、その内側に、鉤状のフックを備えている。このフックは、装置本体の受け部と係合することで、ジャムアクセスカバーが開かないようにロックしている。また、ジャムアクセスカバーの側面には操作ノブが形成されており、この操作ノブを回動させることで、フックを受け部から離すことができ、ジャムアクセスカバーのロックを解除することができる。
【先行技術文献】
【特許文献】
【０００６】
【特許文献１】特開２００９−８６６２８号公報
【特許文献２】特開２００６−３９１７０号公報
【発明の概要】
【発明が解決しようとする課題】
【０００７】
ところで、上記で説明したカバーだけでなく、自動原稿搬送装置及び画像形成装置等が備えるカバーのロックを解除するための操作部は、一般的に当該カバーの外側に配置されている。
【０００８】
しかし、操作部をカバーの外側に配置すると、カバーの外側の面に凹凸形状及び溝等が形成されることになる。そして、この凹凸形状及び溝等に原稿が引っ掛かってしまうことがあった。
【０００９】
また、このような操作部をカバーの外側に配置することにより、凹凸形状及び溝等が装置の外観を損なわせることがあった。
【００１０】
本発明は以上の事情に鑑みてされたものであり、その主要な目的は、カバーを本体にロック可能であって、当該カバーの外観をシンプルにすることが可能な自動原稿搬送装置を提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成の自動原稿搬送装置が提供される。即ち、この自動原稿搬送装置は、本体と、２つの本体側ロック部と、カバーと、２つのカバー側ロック部と、回転軸と、ロック解除部と、を備える。前記本体側ロック部は、前記本体に配置される。前記カバーは、前記本体に開閉可能に支持される。前記カバー側ロック部は、前記カバーを閉じたときに２つの前記本体側ロック部にそれぞれ引っ掛かることで、当該カバーが開かないようにロックする。前記回転軸は、２つの前記カバー側ロック部とそれぞれ接続される。前記ロック解除部は、２つの前記回転軸と接続され、前記カバーの前記本体側の面であって当該カバーの回転軸側の反対側である先端側の端部近傍に配置され、２つの前記回転軸の間に相当する部分に凹み部分が形成されており、前記カバー側ロック部のロックを解除可能である。
【００１３】
即ち、ロック解除部がカバーの外側に露出していると、このロック解除部に原稿等が引っ掛かることがあった。この点、上記の構成によれば、ロック解除部がカバーの内側に配置されているため、カバーの外側の面を平坦にすることができ、原稿等の引っ掛かりを防止できる。また、自動原稿搬送装置の外観をシンプルにすることができる。
【００１４】
本発明の別の観点によれば、以下の構成の自動原稿搬送装置が提供される。即ち、この自動原稿搬送装置は、本体と、本体側ロック部と、カバーと、カバー側ロック部と、ロック解除部と、回転軸と、を備える。前記本体側ロック部は、前記本体に配置される。前記カバーは、前記本体に開閉可能に支持される。前記カバー側ロック部は、前記カバーを閉じたときに前記本体側ロック部に引っ掛かることで、当該カバーが開かないようにロックする。前記ロック解除部は、前記カバーの前記本体側の面であって当該カバーの回転軸側の反対側である先端側の端部近傍に配置され、前記カバー側ロック部のロックを解除可能である。前記回転軸は、前記ロック解除部と前記カバー側ロック部とを接続する。前記ロック解除部は、操作部と、接続部と、を備える。前記操作部は、前記回転軸よりも先端側に配置され、ユーザが操作する。前記接続部は、前記操作部と前記回転軸とを接続する。前記カバー側ロック部は、前記操作部に加えられた操作力により回転動作を行い、当該回転動作によって前記カバーのロックを解除可能である。
【００１５】
これにより、回転軸の回転軸線と操作部との間の空間を有効に活用することができる。そのため、カバーを小型化することができ、コンパクトな自動原稿搬送装置が実現できる。
【００１６】
前記の自動原稿搬送装置においては、前記カバーの本体側の面には、前記操作部と、前記回転軸の回転軸線と、の間に、給紙に関するローラが配置されることが好ましい。
【００１７】
これにより、ピックアップローラ等の給紙に関するローラをカバーの先端側に配置することができるので、カバーの基端側の端部から先端側の端部までの長さを短くすることができる。
【００１８】
前記の自動原稿搬送装置においては、ロックを解除するために前記ロック解除部を回転させる方向は、前記カバーを開ける方向と同じであることが好ましい。
【００１９】
これにより、ロックを解除するためにユーザがロック解除部に加える力の方向と、カバーを開けるためにユーザが当該カバーに加える力の方向と、を同じにすることができる。そのため、ユーザは、簡単な方法で、ロックを解除させつつカバーを開けることができる。
【００２０】
前記の自動原稿搬送装置においては、前記ロック解除部は、搬送される原稿の幅方向中央に位置していることが好ましい。
【００２１】
これにより、カバーに均等に力を加えることができるため、カバーの開放をスムーズに行うことができる。
【００２２】
前記の自動原稿搬送装置においては、前記ロック解除部には、搬送される原稿をガイドするガイド部が形成されることが好ましい。
【００２３】
これにより、ロック解除部が原稿の搬送を邪魔することを防止できる。また、ロック解除部にガイド部を形成することで、部品点数を減らすことができるためコストを削減できる。
【００２４】
前記の自動原稿搬送装置においては、前記ロック解除部に加えて、第２ロック解除部を備えることが好ましい。
【００２５】
これにより、様々な位置からカバーのロックを解除することができる。
【００２６】
本発明の別の観点によれば、前記の自動原稿搬送装置を備えた原稿読取装置が提供される。
【００２７】
これにより、外観がシンプルな自動原稿搬送装置を備えた原稿読取装置が実現できる。
【図面の簡単な説明】
【００２８】
【図１】本発明の一実施形態に係る複合機の外観斜視図。
【図２】カバーが閉じているときの自動原稿搬送装置の正面断面図。
【図３】カバーが開いているときの自動原稿搬送装置の正面断面図。
【図４】ＡＤＦ本体側のカバーの様子を示す斜視図。
【図５】ＡＤＦ本体の上面の構成を説明する模式図。
【図６】第１ロックレバーと第１ロックピンとによってロック及びその解除が行われる様子を説明する模式図。
【発明を実施するための形態】
【００２９】
次に、図面を参照して本発明の実施の形態を説明する。図１は本発明の一実施形態に係る複合機２０の外観斜視図である。
【００３０】
複合機２０は、コピー機能及びファクシミリ機能を備えており、図１に示すように、ブックスキャナ及びオートドキュメントフィードスキャナとして機能するイメージスキャナ装置（原稿読取装置）１０を、当該複合機２０の上部に備えている。また、複合機２０は、コピー部数、ファクシミリ送信先及び原稿読取等を指示するための操作パネル７７を備える。
【００３１】
更に、複合機２０は、記録媒体としての用紙に画像を形成する画像形成部等を内蔵した複合機本体７８と、前記用紙を順次供給する給紙カセット７９と、を備えている。この複合機本体７８は、通信回線を介して画像データを伝送するための図略の送受信部等を備える。
【００３２】
次に、図２及び図３を参照して、複合機２０が備えるイメージスキャナ装置１０について説明する。図２は、カバーが閉じているときの自動原稿搬送装置の正面断面図である。図３は、カバーが開いているときの自動原稿搬送装置の正面断面図である。
【００３３】
図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための本体側スキャナユニット５０及びＡＤＦ側スキャナユニット６０を備えている。
【００３４】
このイメージスキャナ装置１０をオートドキュメントフィードスキャナとして使用する場合は、前記ＡＤＦ２５によって原稿を１枚ずつ搬送する。そして、原稿の表側の面（第１面）の画像は本体側スキャナユニット５０によって読み取られ、裏側の面（第２面）の画像はＡＤＦ側スキャナユニット６０によって読み取られる。
【００３５】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、本体側スキャナユニット５０によって原稿の画像を読み取ることができるようになっている。
【００３６】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。また、ＡＤＦ２５は、ＡＤＦ本体（本体）１６と、その上側を覆うカバー１１とを備えている。
【００３７】
このカバー１１は、図３に示すように、カバー回動軸１５を介してＡＤＦ本体１６に回動可能に支持されている。そして、カバー１１を閉めたときに、当該カバー１１が不用意に開くことのないように、ロックが掛かるように構成されている。なお、このカバー１１及びロック機能の詳細については後述する。
【００３８】
図２に示すように、前記原稿台カバー２１の内部には、原稿トレイ２３と排出トレイ２４とを繋ぐ湾曲状（正面視で横向きＵ字状）の原稿搬送経路３０が構成されている。この構成で、原稿トレイ２３に重ねてセットされた原稿は、１枚ずつ分離されて前記原稿搬送経路３０に沿って搬送され、排出トレイ２４へ排出される。原稿の読取開始等の指示は、図１に示す操作パネル７７によって行うことができる。
【００３９】
次に、原稿搬送経路３０に沿って、ＡＤＦ２５の各部の構成を詳細に説明する。
【００４０】
図２に示すように、原稿トレイ２３から原稿搬送経路３０に原稿が供給される箇所にはピックアップローラ３１が配置されている。このピックアップローラ３１の下流側には分離ローラ３２が備えられる。また、カバー１１を閉じたときにこの分離ローラ３２に対向するように対向ローラ３３が配置されている。
【００４１】
この構成で、ピックアップローラ３１が駆動されることによって、原稿トレイ２３上の最上層の原稿がＡＤＦ２５内に繰り込まれる。原稿はピックアップローラ３１の駆動によって分離ローラ３２へ送られ、当該分離ローラ３２と対向ローラ３３との間にニップされる。そして原稿は、原稿搬送方向に回転駆動する分離ローラ３２と、原稿搬送方向とは逆方向に回転駆動する対向ローラ３３と、によって１枚ずつ分離され、原稿搬送経路３０の下流側へ搬送される。
【００４２】
分離ローラ３２の下流側には、レジストローラ３９と、このレジストローラ３９と対になるプレスローラ３７と、が配置されている。レジストローラ３９はプレスローラ３７とともに、分離ローラ３２によって搬送されてくる原稿の先頭側を一時的に止めて弛ませ、所定時間後に弛みを除去しつつ下流側に搬送する。これにより、原稿の斜行が矯正される。
【００４３】
レジストローラ３９の下流側には、複数の搬送ローラ３４，３５が設けられる。また、この搬送ローラ３４，３５のそれぞれに対向するようにローラが配置されている。前記レジストローラ３９の駆動によって下流側へ搬送された原稿は、搬送ローラ３４，３５とそれらに対向するローラとによりニップされて、更に下流側へ搬送される。
【００４４】
２つの搬送ローラ３４，３５の間には第１原稿読取位置５９が設定されており、この第１原稿読取位置５９にはプラテンローラ２９が配置されている。そして、この第１原稿読取位置５９を通過する原稿は、後述の本体側スキャナユニット５０によって走査され、読み取られる。
【００４５】
次に、本体側スキャナユニット５０について説明する。この本体側スキャナユニット５０は、ＡＤＦ２５及びプラテンガラス２２の下方（前記原稿搬送経路３０の外側）に配置されている。また、この本体側スキャナユニット５０は、光源５１と、反射ミラー５２，５３，５４と、集光レンズ５５と、本体側ＣＣＤ５６と、を備えている。光源５１はＡＤＦ２５の第１原稿読取位置５９（又はプラテンガラス２２）に対して光を照射し、反射ミラー５２，５３，５４は原稿からの反射光を反射させる。そしてこの反射光を集光レンズ５５で収束させて、この収束光が本体側ＣＣＤ５６の部分で結像するように構成されている。
【００４６】
本体側スキャナユニット５０の光源５１及び反射ミラー５２等は移動可能に構成されている。前述したようにイメージスキャナ装置１０をブックスキャナとして使用する場合は、本体側スキャナユニット５０の光源５１及び反射ミラー５２等をプラテンガラス２２に沿って移動させる。これによって、プラテンガラス２２上に載置された原稿を読み取ることができるようになっている。
【００４７】
一方、イメージスキャナ装置１０をオートドキュメントフィードスキャナとして使用する場合は、光源５１及び反射ミラー５２等は、図２に示すように、前記第１原稿読取位置５９に対向する位置まで移動させて静止させておく。この状態でＡＤＦ２５を駆動することにより、原稿搬送経路３０を搬送されて第１原稿読取位置５９を通過する原稿の表側の面を、本体側スキャナユニット５０が走査して読み取ることができる。
【００４８】
本体側スキャナユニット５０において、原稿からの反射光は前述のとおり本体側ＣＣＤ５６へ導かれて結像し、本体側ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４９】
原稿搬送経路３０において、前記第１原稿読取位置５９の下流側（搬送ローラ３５の下流側）には第２原稿読取位置６９が設定されている。この第２原稿読取位置６９を通過する原稿の裏面は、次に説明するＡＤＦ側スキャナユニット６０によって走査されて読み取られる。
【００５０】
ＡＤＦ側スキャナユニット６０について説明する。このＡＤＦ側スキャナユニット６０は、Ｕ字状に構成された前記原稿搬送経路３０に内側から接するように、当該原稿搬送経路３０の内側に設置されている。また、ＡＤＦ側スキャナユニット６０は、ＡＤＦ２５の内部に保持されるスキャナフレーム１２を備えている。このスキャナフレーム１２は、内部の光学系を構成する部品等を支持するとともに、その外側を覆って保護するように構成されている。
【００５１】
スキャナフレーム１２の底部には、原稿の裏面を読み取るための読取ガラス６８が備えられる。この読取ガラス６８は、前記第２原稿読取位置６９に対応する位置に配置される。
【００５２】
また、スキャナフレーム１２の前記第２原稿読取位置６９に対向するように、プラテンローラ３８がＡＤＦ２５に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００５３】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００５４】
次に、ＡＤＦ側スキャナユニット６０において構成される縮小光学系について説明する。図２に示すように、ＡＤＦ側スキャナユニット６０は、光源６１と、反射ミラー６２，６３，６４，６５と、集光レンズ６７と、イメージセンサとしてのＡＤＦ側ＣＣＤ５７と、を備えている。これらの部品は、何れもスキャナフレーム１２の内部に配置されている。
【００５５】
光源６１は読取ガラス６８を臨むように配置されており、当該読取ガラス６８を介して第２原稿読取位置６９に光を照射することができる。反射ミラー６２，６３，６４，６５は、原稿からの反射光を更に複数回折り返すように反射させ、集光レンズ６７に導くように構成されている。
【００５６】
集光レンズ６７は光を収束させてＡＤＦ側ＣＣＤ５７の部分に結像させ、ＡＤＦ側ＣＣＤ５７は、本体側スキャナユニット５０における本体側ＣＣＤ５６と同様に、原稿の画像情報に応じた電気信号を出力する。この信号も適宜変換処理され、複合機２０が備える画像形成部に送信される。
【００５７】
次に、図４及び図５を参照して、カバー１１に配置された部品の構成について詳細に説明する。図４は、ＡＤＦ本体１６側のカバー１１の様子を示す斜視図である。図５は、ＡＤＦ本体１６の上面の構成を説明する模式図である。なお、以下の説明において、カバー１１において、カバー回動軸１５を有する側（図４における略下側）を「基端側」と称するとともに、その反対側（図４における略上側）を「先端側」と称する。
【００５８】
カバー１１の最も基端側には、図４に示すように、カバー取付孔７３と、カバー取付軸７２と、が形成されている。そして、図５に示すように、ＡＤＦ本体１６には、カバー取付孔７３を挿入可能なカバー取付軸９３と、カバー取付軸７２を回動可能に取り付けるためのカバー取付孔９２と、が形成されている。そして、カバー１１は、カバー取付軸７２の中心と、カバー取付軸９３の中心と、を通る線を前記カバー回動軸１５として、カバー１１をＡＤＦ本体１６に対して開閉させることができる。
【００５９】
また、カバー１１は、図４に示すように、中央部よりもやや基端側において屈曲している。この屈曲している箇所には、プレスローラ３７が３つ並んで配置されている。プレスローラ３７は、図２に示すように、ＡＤＦ本体１６が備えるレジストローラ３９と対向するように配置されている。また、このプレスローラ３７は、プレスローラ軸４２によって支持されており、このプレスローラ軸４２は、付勢バネ４０によってレジストローラ３９と対向する方向に付勢されている。この構成により、プレスローラ３７は、レジストローラ３９に対して押圧できるようになっている。
【００６０】
また、カバー１１の中央部よりやや先端側には、カバー側ギア４６が配置されている。このカバー側ギア４６は、カバー１１を閉じたときに図５に示す本体側ギア９６と噛み合うように構成されている。本体側ギア９６は、ＡＤＦ本体１６が備える図略の駆動装置からの動力が伝達されることによって回転可能になっており、カバー１１が閉じた状態で本体側ギア９６が回転することにより、カバー側ギア４６も回転する。
【００６１】
このカバー側ギア４６は、分離ローラ軸４１と相対回転不能に接続されているため、カバー側ギア４６が回転することにより分離ローラ軸４１も回転する。そして、この分離ローラ軸４１が回転することにより、当該分離ローラ軸４１に相対回転不能に接続された分離ローラ３２も回転する。分離ローラ３２は、適宜の駆動伝達機構４３を介してピックアップローラ３１と連結されているため、分離ローラ３２が回転することにより、ピックアップローラ３１も回転する。このようにして、ＡＤＦ本体１６が備える駆動装置からの動力がピックアップローラ３１及び分離ローラ３２に伝達されている。
【００６２】
なお、分離ローラ３２は、図２に示すように、カバー１１を閉じたときに対向ローラ３３と接触するように構成されている。
【００６３】
また、カバー１１の先端側の端部近傍には、カバー１１のロック及びその解除を行うためのロック機構８０が配置されている。ここで、先端側の端部近傍とは、先端側の端部からユーザの指が届く範囲のことを示している。このロック機構８０は、第１ロックレバー（カバー側ロック部）８１と、第１レバー軸（回転軸）８２と、ロック解除部８３と、第２レバー軸（回転軸）８４と、第２ロックレバー（カバー側ロック部）８５と、を主要な構成として備えている。また、本実施形態のロック機構８０は、各構成要素を一体的に成形、又は相対回転不能に接続しているため、ロック機構８０の１つの構成要素を回動させると他の構成要素も同方向に回動するようになっている。
【００６４】
第１ロックレバー８１は、カバー１１をロックするためのものであり、カバー１１を閉じたときに、図５に示す第１ロックピン（本体側ロック部）９１に引っ掛かるように構成されている。また、この第１ロックレバー８１は、第１レバー軸８２と接続されている。
【００６５】
第１レバー軸８２は、円柱状に構成されており、幅方向の中央近傍には、径方向に突出する突起が形成されている。この突起には第１コイルバネ７４が取り付けられており、第１レバー軸８２に形成された突起を、カバー１１の基端側へ引っ張っている。そのため、第１ロックレバー８１は、図４の矢印方向に力を受けて、この方向へ回動している。また、第１レバー軸８２の端部には、ロック解除部８３が接続されている。
【００６６】
ロック解除部８３は、カバー１１を閉じた状態でロックが掛かっているときに当該ロックを解除するためのものである。このロック解除部８３は、第１接続板（接続部）１０１と、解除ノブ（操作部）１０２と、リブ（ガイド部）１１３と、第２接続板（接続部）１０４と、を備えている。なお、本実施形態において、このロック解除部８３は、一体的に成形されている。
【００６７】
第１接続板１０１は、カバー１１の先端側へ突出するように構成されている。この第１接続板１０１は、基端側の端部において第１レバー軸８２と接続されており、先端側の端部において解除ノブ１０２と接続されている。
【００６８】
解除ノブ１０２は、ロック解除部８３のうち、ユーザがカバー１１のロックを解除するときに操作する箇所である。前述のように、第１ロックレバー８１及び第２ロックレバー８５は、第１コイルバネ７４及び第２コイルバネ７５から力を受けて、図４の矢印の方向に回動している。しかし、ユーザが解除ノブ１０２を図４の白抜き矢印の方向に回動させることで、第１ロックレバー８１及び第２ロックレバー８５を、図４の矢印と反対の方向に回動させることができる。
【００６９】
また、解除ノブ１０２には、互いに平行に配置された複数のリブ１１３が下向きに突出するように形成されている。このリブ１１３の先端部（下端部）は、原稿搬送方向下流側に近づくに従って突出量を緩やかに増大させるように形成されており、側面視において図２に示すような傾斜状に構成されている。この形状により、原稿を搬送するときに解除ノブ１０２に引っ掛からないようにすることができる。
【００７０】
第２接続板１０４は、第１接続板１０１と同形状の部材として構成されている。この第２接続板１０４は、基端側の端部において第２レバー軸８４と接続されており、先端側の端部において解除ノブ１０２と接続されている。
【００７１】
第２レバー軸８４、第２ロックレバー８５、及び、第２コイルバネ７５の構成及び配置については、上記の第１レバー軸８２、第１ロックレバー８１、及び第１コイルバネ７４と実質的に同様であるため、説明を省略する。
【００７２】
このように、ロック機構８０はクランクとして構成されているため、ロック解除部８３が形成する凹み部分を有効に活用することで、カバー１１のＡＤＦ本体１６側の空間を有効に利用することができる。本実施形態では、この凹み部分にピックアップローラ３１が入り込むように配置されている。
【００７３】
次に、図６を参照して、カバー１１のロック及びそれを解除する仕組みについて説明する。図６は、第１ロックレバー８１と第１ロックピン９１とによってロック及びその解除が行われる様子を説明する模式図である。なお、ここでは、第１ロックレバー８１及び第１ロックピン９１について説明するが、第２ロックレバー８５及び第２ロックピン（本体側ロック部）９５についても同様の動作が行われるため、説明を省略する。
【００７４】
初めに、カバー１１をロックするときについて説明する。本実施形態のＡＤＦ２５は、カバー１１を閉じただけで自動的にロックが掛かるようになっている。具体的には、カバー１１を閉じていくと、図６（ａ）に示すように、第１ロックレバー８１に形成されている傾斜面１２１が第１ロックピン９１に当接し、その後は第１ロックピン９１が傾斜面１２１を押すので、第１ロックレバー８１が回動する。そして、カバー１１を更に閉じていくことで、図６（ｂ）に示すように、第１ロックレバー８１に形成されている凹部１２２に第１ロックピン９１が入り込む。
【００７５】
第１ロックピン９１が凹部１２２に入った状態では、カバー１１に開閉方向のどちらに力を加えても、第１ロックピン９１が凹部１２２に嵌まっているため、カバー１１は動くことがない。また、第１コイルバネ７４による付勢力が働いているため、第１ロックピン９１が凹部１２２から抜けることもない。
【００７６】
このロック状態から当該ロックを解除するためには、ユーザが解除ノブ１０２を図４の矢印の反対方向に回動させれば良い。この方向に解除ノブ１０２が回動することにより、第１ロックレバー８１は、図６（ｃ）で示す方向に力を受けて、図６（ｃ）に２点鎖線で示す位置に移動する。この状態のままカバー１１を開ける方向に力を加えることで、図６（ｄ）に示すように、カバー１１を開けることができる。
【００７７】
なお、本実施形態のイメージスキャナ装置１０は、ロック解除部８３に加えて解除板（第２ロック解除部）８９を備える構成となっている。この解除板８９は、第１レバー軸８２に固定されており、解除板８９を回動させることで、第１ロックレバー８１及び第２ロックレバー８５を同方向に回動させることができる。そのため、ユーザは、解除ノブ１０２だけでなく解除板８９を操作することによっても、カバー１１のロックを解除してカバーを開けることができる。
【００７８】
この解除板８９は、解除ノブ１０２よりも手前側に配置されており、また、カバー１１の上面に露出する構成となっている。従って、例えばユーザが原稿を一時的に脇に挟んでいるなどして、装置の正面側から解除ノブ１０２まで手を伸ばすのが難しい場合等においては、手前側の解除板８９を利用してカバー１１を開けることもでき、作業性が向上されている。
【００７９】
以上に説明したように、本実施形態のＡＤＦ２５は、ＡＤＦ本体１６と、第１ロックピン９１及び第２ロックピン９５と、カバー１１と、第１ロックレバー８１及び第２ロックレバー８５と、ロック解除部８３と、を備える。第１ロックピン９１及び第２ロックピン９５は、ＡＤＦ本体１６に配置される。カバー１１は、ＡＤＦ本体１６に開閉可能に支持される。第１ロックレバー８１及び第２ロックレバー８５は、カバー１１を閉じたときにそれぞれ第１ロックピン９１及び第２ロックピン９５に引っ掛かることで、当該カバー１１が開かないようにロックする。ロック解除部８３は、カバー１１のＡＤＦ本体１６側の面であって当該カバー１１の先端側の端部近傍に配置され、第１ロックレバー８１及び第２ロックレバー８５のロックを解除可能である。
【００８０】
これにより、ロック解除部８３がカバー１１の内側に配置されているためカバー１１の外側の面を平坦にすることができ、原稿等が当該ロック解除部８３に引っ掛かることを防止できる。
【００８１】
また、本実施形態のＡＤＦ２５は、ロック解除部８３と第１ロックレバー８１とを接続する第１レバー軸８２を備える。また、ＡＤＦ２５は、ロック解除部８３と第２ロックレバー８５とを接続する第２レバー軸８４を備える。ロック解除部８３は、解除ノブ１０２と、第１接続板１０１と、第２接続板１０４と、を備える。解除ノブ１０２は、第１レバー軸８２及び第２レバー軸８４よりも先端側に配置され、ユーザが操作するためのものである。第１接続板１０１は解除ノブ１０２と第１レバー軸８２とを接続し、第２接続板１０４は、解除ノブ１０２と第２レバー軸８４とを接続する。第１ロックレバー８１及び第２ロックレバー８５は、解除ノブ１０２に加えられた操作力により回転動作を行い、当該回転動作によってカバー１１のロックを解除可能である。
【００８２】
これにより、解除ノブ１０２よりも基端側の空間を有効に活用することができる。そのため、カバー１１を小型化することができ、コンパクトなＡＤＦ２５が実現できる。
【００８３】
また、本実施形態のＡＤＦ２５においては、カバー１１のＡＤＦ本体１６側の面には、解除ノブ１０２と、第１レバー軸８２の回転軸線と、の間に、ピックアップローラ３１が配置される。
【００８４】
これにより、ピックアップローラ３１をカバー１１の先端側に配置することができるので、カバー１１の基端側の端部から先端側の端部までの長さを短くすることができる。
【００８５】
また、本実施形態のＡＤＦ２５において、ロックを解除するためにロック解除部８３を回転させる方向は、カバー１１を開ける方向と同じである。
【００８６】
これにより、ロックを解除するためにユーザがロック解除部８３に加える力の方向と、カバー１１を開けるためにユーザが当該カバー１１に加える力の方向と、を同じにすることができる。そのため、ユーザは、ワンアクションでロックを解除させつつカバー１１を開けることができる。
【００８７】
また、本実施形態のＡＤＦ２５において、ロック解除部８３は、搬送される原稿の幅方向中央に位置している。
【００８８】
これにより、カバー１１に均等に力を加えることができるため、カバー１１の開放をスムーズに行うことができる。
【００８９】
また、本実施形態のＡＤＦ２５においては、ロック解除部８３には、搬送される原稿をガイドするリブ１１３が形成される。
【００９０】
これにより、ロック解除部８３が原稿の搬送を邪魔することを防止できる。また、ロック解除部８３にリブ１１３を形成することで、部品点数を減らすことができるためコストを削減できる。
【００９１】
また、本実施形態のＡＤＦ２５においては、ロック解除部８３に加えて、解除板８９を備える。
【００９２】
これにより、様々な位置からカバー１１のロックを解除することができる。
【００９３】
以上に本発明の好適な実施の形態を説明したが、上記の構成は例えば以下のように変更することができる。
【００９４】
上記実施形態では、ロックレバー及びロックピンを２つずつ備える構成であるが、ロックレバー及びロックピンを１つずつ備える構成にしても良い。
【００９５】
上記実施形態では、解除板８９を備える構成であるが、解除板８９を備えずにカバー１１のロックの解除を解除ノブ１０２のみで行う構成にしても良い。この場合、カバー１１の上面のすっきりした外観を実現できる。
【００９６】
上記実施形態では、第１ロックピン９１に第１ロックレバー８１の凹部１２２を嵌め込むようにしてロックをする構成であるが、凹部に代えてフック状の部材を引っ掛ける構成にしても良い。
【００９７】
複合機２０に代えて、例えば、コピー機、ファクシミリ装置等にも、上記実施形態のイメージスキャナ装置１０を適用することができる。
【００９８】
上記実施形態ではイメージスキャナ装置１０は複合機２０の一部として備えられているが、この構成に代えて、単体のイメージスキャナ装置として構成することができる。
【符号の説明】
【００９９】
１０  イメージスキャナ装置（原稿読取装置）
１１  カバー
１６  ＡＤＦ本体（本体）
２５  ＡＤＦ（自動原稿搬送装置）
８１  第１ロックレバー（カバー側ロック部）
８２  第１レバー軸（回転軸）
８３  ロック解除部
８４  第２レバー軸（回転軸）
８５  第２ロックレバー（カバー側ロック部）
８９  解除板（第２ロック解除部）
９１  第１ロックピン（本体側ロック部）
９５  第２ロックピン（本体側ロック部）
１０１  第１接続板（接続部）
１０２  解除ノブ（操作部）
１０４  第２接続板（接続部）
１１３  リブ（ガイド部）
【図１】
0005522368.tif 000002
【図２】
0005522368.tif 000003
【図３】
0005522368.tif 000004
【図４】
0005522368.tif 000005
【図５】
0005522368.tif 000006
【図６】
0005522368.tif 000007